(57)【要約】      （修正有）【課題】高精細かつ高精度な静止画像の撮影タイミングを含む所定期間に撮影された高精細かつ高精度なスローモーション動画像を静止画像と関連付けて記録する。【解決手段】被写体を撮像する撮像素子６からの撮像信号に基づき時系列に得られた複数の画像を順次記憶するバッファメモリ８と、記憶されている前記複数の画像から少なくとも１つの特定画像を選択して、前記特定画像の取得時間を含む所定期間の間に前記バッファメモリに記憶された前記複数の画像に基づいて、前記バッファメモリに単位時間に記憶される前記画像の数を示す第１フレームレートより少ない第２フレームレートで再生されるスローモーション動画像を生成する動画像生成部５ｂと、選択された前記特定画像に基づいて静止画像を生成する静止画像生成部５ｃと、生成された前記静止画像と、生成された前記スローモーション動画像とを、互いに関連付けて記録媒体１０に記録する制御部４とを備える。【選択図】図１
2013110562.tif 000002
【特許請求の範囲】
【請求項１】
被写体からの光を撮像する撮像素子からの撮像信号に基づき時系列に得られた複数の画像を順次記憶する記憶部と、
前記画像の前記記憶部への記憶開始及び記憶終了を指示する指示部と、
前記指示部による前記記憶開始指示に基づいて前記記憶部への前記画像の記憶を開始させ、前記記憶終了指示に基づいて前記画像の記憶を終了させる記憶制御部と、
前記記憶部に記憶されている前記複数の画像から少なくとも１つの特定画像を選択する画像選択部と、
前記画像選択部により選択された前記特定画像の取得時間を含む所定期間の間に前記記憶部に記憶された前記複数の画像に基づいて、前記記憶部に単位時間に記憶される前記画像の数を示す第１フレームレートより少ない第２フレームレートで再生されるスローモーション動画像を生成する動画像生成部と、
前記画像選択部により選択された前記特定画像に基づいて静止画像を生成する静止画像生成部と、
前記静止画像生成部により生成された前記静止画像と、該静止画像が含まれる前記動画像生成部により生成された前記スローモーション動画像とを、互いに関連付けて記録媒体に記録する記録制御部と、
を備えることを特徴とする撮像装置。
【請求項２】
前記画像選択部は、ユーザーの指示に基づいて前記特定画像を選択することを特徴とする請求項１記載の撮像装置。
【請求項３】
前記画像選択部は、画像毎に算出された評価点の高い順に前記特定画像を選択することを特徴とする請求項１記載の撮像装置。
【請求項４】
前記記憶制御部は、前記記憶開始指示に基づき行なわれる焦点調節処理及び露出制御処理の後、前記記憶部への前記画像の記憶を開始させ、前記記憶終了指示の所定時間後、前記画像の記憶を終了させることを特徴とする請求項１〜３の何れか一項に記載の撮像装置。
【請求項５】
前記記憶制御部は、前記指示部による前記記憶開始指示後、所定時間内に前記記憶終了指示がされない場合に、前記記憶部に記憶されている前記画像を消去することを特徴とする請求項１〜４の何れか一項に記載の撮像装置。
【請求項６】
前記記憶制御部は、前記指示部による前記記憶開始指示後、前記記憶終了指示がされることなく、前記記憶開始指示が終了した場合に、前記記憶部に記憶されている前記画像を消去することを特徴とする請求項１〜４の何れか一項に記載の撮像装置。
【請求項７】
前記記憶部に記憶される前記フレーム画像の画素数は、ＨＤＴＶ規格以上の画素数であることを特徴とする請求項１〜６の何れか一項に記載の撮像装置。
【請求項８】
前記静止画像生成部より生成される前記静止画像の画素数は、前記動画像生成部により生成される前記スローモーション動画像の画素数より多いことを特徴とする請求項１〜７の何れか一項に記載の撮像装置。
【請求項９】
前記第２フレームレートは、前記第１フレームレートの１／２．５であることを特徴とする請求項１〜８の何れか一項に記載の撮像装置。
【請求項１０】
前記第２フレームレートは変更可能であることを特徴とする請求項１〜９の何れか一項に記載の撮像装置。
【請求項１１】
前記動画像生成部は、前記複数のフレーム画像に基づき生成される動画像に、前記動画像を前記第２フレームレートで再生するよう指示する情報を付加することにより、前記スローモーション動画像を生成することを特徴とする請求項１〜１０の何れか一項に記載の撮像装置。
【発明の詳細な説明】
【技術分野】
【０００１】
本発明は、動画像を記録可能な撮像装置に関するものである。
【背景技術】
【０００２】
動画付き静止画撮影モードに設定されると、動画の一時記憶を開始し、シャッタボタンが押下されると、撮影された静止画が記録されるとともに、静止画撮影前に一時記憶された動画、撮影された静止画を変換した動画、及びシャッタボタン押下後に撮影された動画から、１つの動画を生成し、記録する記録装置が提案されている（例えば、特許文献１参照）。
【先行技術文献】
【特許文献】
【０００３】
【特許文献１】ＷＯ２００６／０２８１７２号公報
【発明の概要】
【発明が解決しようとする課題】
【０００４】
ところで、上述の特許文献１記載の記録装置を含む従来の撮像装置では、被写体が実際の動きよりスローに動くスローモーション動画像のような、印象的な映像効果を有する動画像を、動画像の撮影期間内に撮影された静止画像と関連付けて記録する技術は開示されていない。
【０００５】
本発明の目的は、高精細かつ高精度な静止画像の撮影タイミングを含む所定期間に撮影された高精細かつ高精度なスローモーション動画像を静止画像と関連付けて記録する撮像装置を提供することである。
【課題を解決するための手段】
【０００６】
本発明は以下のような解決手段により上記課題を解決する。なお、理解を容易にするために、本発明の実施の形態に対応する符号を付して説明するが、本発明はこれに限定されるものではない。
【０００７】
本発明の撮像装置は、被写体からの光を撮像する撮像素子（６）からの撮像信号に基づき時系列に得られた複数の画像を順次記憶する記憶部（８）と、前記画像の前記記憶部への記憶開始及び記憶終了を指示する指示部（１４）と、前記指示部による前記記憶開始指示に基づいて前記記憶部への前記画像の記憶を開始させ、前記記憶終了指示に基づいて前記画像の記憶を終了させる記憶制御部（４）と、前記記憶部に記憶されている前記複数の画像から少なくとも１つの特定画像を選択する画像選択部（４）と、前記画像選択部により選択された前記特定画像の取得時間を含む所定期間の間に前記記憶部に記憶された前記複数の画像に基づいて、前記記憶部に単位時間に記憶される前記画像の数を示す第１フレームレートより少ない第２フレームレートで再生されるスローモーション動画像を生成する動画像生成部（５ｂ）と、前記画像選択部により選択された前記特定画像に基づいて静止画像を生成する静止画像生成部（５ｃ）と、前記静止画像生成部により生成された前記静止画像と、該静止画像が含まれる前記動画像生成部により生成された前記スローモーション動画像とを、互いに関連付けて記録媒体に記録する記録制御部（４）とを備えることを特徴とする。
【発明の効果】
【０００８】
本発明の撮像装置によれば、高精細かつ高精度な静止画像の撮影タイミングを含む所定期間に撮影された高精細かつ高精度なスローモーション動画像を静止画像と関連付けて記録することができる。
【図面の簡単な説明】
【０００９】
【図１】実施の形態に係る電子カメラのシステム構成を示すブロック図である。
【図２】実施の形態に係る電子カメラにおいてスローモーション動画像及び静止画像を撮影する際の画像の取り込み処理を説明するためのフローチャートである。
【図３】実施の形態に係る電子カメラにおけるスローモーション動画像データ及び静止画像データの作成処理を説明するためのフローチャートである。
【発明を実施するための形態】
【００１０】
以下、図面を参照して、本発明の実施の形態に係る撮像装置としての電子カメラについて説明する。図１は、実施の形態に係る電子カメラ２のシステム構成を示すブロック図である。図１に示すように電子カメラ２は、マイクロプロセッサ等により構成され、電子カメラ２の各部を統括的に制御する制御部４を備えている。制御部４は、映像信号処理回路５を有し、映像信号処理回路５は、後述する表示部１２において表示される表示画像データを生成する表示画像生成部５ａ、動画像データを生成する動画像生成部５ｂ及び静止画像データを生成する生成画像生成部５ｃを有している。また、制御部４には、バッファメモリ８、記録媒体１０、表示部１２、及び操作部１４が接続されている。
【００１１】
バッファメモリ８は、撮像素子６からの撮像信号に基づき作成された画像データを一時的に記憶する。ここで、撮像素子６は、ＣＣＤまたはＣＭＯＳ等により構成され、図示しない撮影レンズを介した被写体からの光を撮像し、バッファメモリ８は、撮像素子６から出力され、図示しないＡ／Ｄコンバータを介すことによりアナログ信号からデジタル信号に変換された撮像信号に基づく画像データを一時的に記憶する。
【００１２】
また、バッファメモリ８は、電子カメラ２が例えば、後述のスローモーション動画像（以下、スロー動画像という。）を撮影するスローモーション動画像撮影モード等に設定されている場合には、撮像素子６から動画像サイクル（６０ｆｐｓ等）に同期して出力される撮像信号に基づく複数の画像データ、即ちスロー動画像を構成する複数のフレーム画像を時系列に順次記憶する。なお、この実施の形態において、バッファメモリ８には、ＱＦＨＤ（Ｑｕｏｄ  Ｆｕｌｌ  Ｈｉｇｈ  Ｄｉｆｉｎｉｔｉｏｎ：３８４０×２１６０ピクセル）規格の画素数を有するフレーム画像、即ち高解像度のフレーム画像がＦＩＦＯ（ｆｉｒｓｔ  ｉｎ  ｆｉｒｓｔ  ｏｕｔ）方式で順次記憶される。またバッファメモリ８には、１０秒分のフレーム画像（動画像サイクルが６０ｆｐｓの場合には６００枚のフレーム画像）を記憶することができる容量を有する。
【００１３】
記録媒体１０は、電子カメラ２に設けられたカードスロット（図示せず）に着脱可能に装着される可搬性を有する記録媒体であり、例えば、ＣＦカード、ＳＤカード、スマートメディア等が用いられる。記録媒体１０には、バッファメモリ８に記憶されているフレーム画像のそれぞれに、制御部４内の動画像生成部５ｂにより動画像用の解像度へのリサイズ（解像度大から小へ）処理、動画像用の画像処理及び動画像用の圧縮処理を施すことにより生成される動画像データやスローモーション動画像データが記録される。また、記録媒体１０には、バッファメモリ８に記憶されているフレーム画像に、制御部４内の静止画像生成部５ｃにより静止画像用の画像処理、静止画像用の圧縮処理を施すことにより生成される静止画像データや、撮影に関する情報等が記録される。
【００１４】
表示部１２は、電子カメラ２の背面部に配置されるＬＣＤ等により構成されるモニタまたはＥＶＦ等により構成され、表示画生成部５ａにより生成されたスルー画像、記録媒体１０に記録されている動画像データに基づく動画像、スローモーション動画像データ（以下、スロー動画像データという。）に基づくスロー動画像、静止画像データに基づく静止画像、及び撮影に関する情報等を表示する。
【００１５】
操作部１４は、電子カメラ２の電源をオン／オフする電源スイッチ、動画像を撮影する動画像撮影モードやスロー動画像を撮影するスローモーション動画像撮影モード等の撮影モードを設定するためのコマンドダイヤル、動画像や静止画像の撮影開始等を指示するためのレリーズボタン、表示部１２にメニュー等を表示させるためのメニューボタン、メニュー項目等の選択や様々な設定時に操作される十字キー、メニュー項目等の選択や様々な設定に対する確定操作を行うためのＯＫボタン、記録媒体１０に記録された動画像データや静止画像データを表示部１２に表示させるための再生ボタン等を含んで構成されている。
【００１６】
この実施の形態に係る電子カメラ２では、撮像素子６から出力され、バッファメモリ８に単位時間に記憶されるフレーム画像の数を示す第１フレームレートより少ない第２フレームレートで再生されるスロー動画像データを生成し、かつ該スロー動画像データを構成する複数のフレーム画像の少なくとも１つのフレーム画像に基づく静止画像データを生成し、生成されたスロー動画像データ及び静止画像データを互いに関連付けて記録媒体１０に記録することができる。
【００１７】
次に、図２を参照して、この実施の形態に係る電子カメラ２においてスロー動画像及び静止画像を撮影する際の画像の取り込み処理について説明する。まず、ユーザーがコマンドダイヤルを操作してスローモーション動画像撮影モードを設定すると、制御部４は、スローモーション動画像及び該スローモーション動画像に関連する静止画像を撮影するためのスローモーション動画像モードに移行する。そして、ユーザーによりレリーズボタンが半押しされたか否かを判別する（ステップＳ１０）。ステップＳ１０においてレリーズボタンが半押しされたと判別された場合には、制御部４は、静止画像データの生成の準備の指示、及びスロー動画像データの生成の指示がなされたと判断する。そして、スルー画像内の主要被写体に対して合焦させるための焦点調節処理（ＡＦ）及び主要被写体の輝度に基づき露出を決定する露出制御処理（ＡＥ）を行なう（ステップＳ１１）。
【００１８】
次に、制御部４は、スロー動画像の生成のためのフレーム画像のバッファメモリ８への取り込み（プリキャプチャー）を開始する（ステップＳ１２）。具体的には、制御部４は、撮像素子６から動画像サイクルに同期して出力される撮像信号に基づく複数のフレーム画像のバッファメモリ８へ記憶を開始する。
【００１９】
次に、制御部４は、バッファメモリ８へのフレーム画像の記憶を繰り返している最中に、ユーザーによりレリーズボタンが全押しされたか否かを判別する（ステップＳ１３）。ステップＳ１３においてレリーズボタンが全押しされたと判別された場合には、制御部４は、レリーズボタンが全押しされてから所定時間(例えば０．４秒)の経過後、フレーム画像の取り込みを終了する（ステップＳ１４）。
【００２０】
一方、レリーズボタンが全押しされない場合には、レリーズボタンの半押しが継続されているか否かの判別を行い（ステップＳ１５）、レリーズボタンの半押しが終了した場合にはバッファメモリ８へ取り込んだフレーム画像を全て消去してフレーム画像の取り込み処理を終了する（ステップＳ１７）。ここでバッファメモリ８へ取り込んだフレーム画像を消去する場合には、表示部１２にフレーム画像を消去する旨の警告の表示を行った後にフレーム画像を消去するようにしてもよい。またレリーズボタンの半押しが継続されている場合には、バッファメモリ８へのフレーム画像の記憶を開始してからの時間が制限時間を超えたか否かの判別を行なう（ステップＳ１６）。ここで制限時間は、バッファメモリ８が１０秒分のフレーム画像を記憶できる容量を有する場合には、１０秒からレリーズボタンが全押しされてからフレーム画像の取り込みを終了するまでの所定時間（例えば０．４秒）を差し引いた時間である。ステップＳ１６において制限時間を超えたと判別された場合には、バッファメモリ８へ取り込んだフレーム画像を全て消去してフレーム画像の取り込み処理を終了する（ステップＳ１７）。
【００２１】
次に図３を参照して、バッファメモリ８に取り込まれたフレーム画像から特定画像を選択する処理について説明する。ここで特定画像は、スロー動画像データの作成に用いるフレーム画像の範囲の決定に用いられる。また特定画像からスロー動画像データに関連付けて記憶される静止画像データが作成される。
【００２２】
先ずユーザーは操作部１４を操作することにより、特定画像となる静止画像（ベストショット）の選択方法を指定する（ステップＳ２０）。ここで選択方法として特定画像としての静止画像（ベストショット）を自分で選択する方法の指定を行なった場合には、制御部４は、撮像素子６から出力されたフレームレート（撮影フレームレート）と同等の第１フレームレート（例えば６０フレーム／秒等）でバッファメモリ８に記憶されているフレーム画像を読み出し、表示画像生成部５ａにより表示用動画像データを生成して表示部１２において連続再生する（ステップＳ２１）。ユーザーは表示部１２において再生されている表示用動画像の中で、ベストショットとして選択したいと思う画像が表示された時点で、レリーズボタンを全押しする。制御部４は、レリーズボタンが全押しされたと判別した場合には（ステップＳ２２）、表示用動画像を構成する表示用動画像データに対応するフレーム画像を特定画像として選択し、特定画像として選択されたフレーム画像をスロー動画像データを作成する際の基準画像として図示しないメモリ等に記憶する（ステップＳ２４）。
【００２３】
一方、ステップＳ２０において、特定画像としての静止画像（ベストショット）を電子カメラ２が選択する方法の指定を行なった場合には、制御部４は、バッファメモリ８に記憶されているフレーム画像毎に評価点を算出し、評価点が最高値となったフレーム画像を特定画像として選択し（ステップＳ２３）、特定画像として選択されたフレーム画像をスロー動画像データを作成する際の基準画像として図示しないメモリ等に記憶する（ステップＳ２４）。ここでフレーム画像毎に算出される評価点は、画像の鮮鋭度、フレーム画像に人の顔が含まれている場合の目瞑りの有無、顔の面積の大きさ及び笑顔度、被写体の動きの変化等に基づいて算出される。
【００２４】
次に、選択された基準画像に基づいて、バッファメモリ８に記憶されているフレーム画像の中からスロー動画像データの生成に用いるフレーム画像を決定する（ステップＳ２５）。ここで基準画像の取得時間がバッファメモリ８に記憶されている最初のフレーム画像の取得時間から０．６秒以上経過した時間である場合には、基準画像の取得時間よりも前の０．６秒の間及び基準画像の取得時間後の０．４秒の間に取得されたフレーム画像をスロー動画像データの生成に用いるフレーム画像として決定する。また、基準画像の取得時間がバッファメモリ８に記憶されている最初のフレーム画像の取得時間から０．６秒以内の時間である場合には、最初のフレーム画像の取得時間から１秒の間に取得されたフレーム画像をスロー動画像データの生成に用いるフレーム画像として決定する。
【００２５】
次に、制御部４は、バッファメモリ８に記憶されている複数のフレーム画像に基づいて、スロー動画像データの生成及び静止画像データの生成を実行する（ステップＳ２６）。まず、スロー動画像データの生成処理について説明する。制御部４は、撮像素子６から出力されるフレームレート（撮影フレームレート）と同等の第１フレームレート（例えば６０フレーム／秒等）でバッファメモリ８に記憶されているフレーム画像の中で、スロー動画像データの生成に用いるフレーム画像として決定されたフレーム画像を第１フレームレートより少ない第２フレームレート（例えば第１フレームレートの１／２．５である２４フレーム／秒等）でバッファメモリ８から読み出す。そして、読み出されたフレーム画像に対して制御部４内の動画像生成部５ｂにより動画像用の解像度へのリサイズ（解像度大から小へ）処理、動画像用の画像処理（動画用圧縮処理含む）を施すことによりスロー動画像データを生成する。なお、第２フレームレートの値は、予め設定され、図示しないメモリ等に記憶されており、変更可能に構成されている。
【００２６】
次に、静止画像データの生成処理について説明する。制御部４は、特定画像として選択されたフレーム画像をバッファメモリ８から読み出す。そして、読み出されたフレーム画像に対して制御部４内の静止画像生成部５ａにより静止画像用の画像処理（静止画用圧縮処理を含む）を施すことにより静止画像データを生成する。なお、この実施の形態では、ＨＤＴＶ規格以上の画素数を有するフレーム画像、即ち高解像度のフレーム画像がバッファメモリ８に記憶されるため、高解像度の静止画像データを得ることができる。なお、生成される静止画像データの画素数は、生成されたスロー動画像データの画素数より多い。
【００２７】
次に制御部４は、スロー動画像データ及び静止画像データを、互いに関連付けて（互いに関連していることを示す情報（撮影日時や識別番号等）を付加して）記録媒体１０に記録する（ステップＳ２７）。
【００２８】
この実施の形態に係る電子カメラ２により、スロー動画像の再生を行なう場合には、記憶媒体１０から再生指示が行われたスロー動画像データを読み出すと共に、スロー動画像データに関連付けられている静止画像データを読み出し、スロー動画像データに基づくスロー動画像の再生を行なった後に（２．５秒間のスロー動画像の再生を行なった後に）、静止画像データに基づく静止画像の再生を５秒間行なう。また、静止画像データに基づく静止画像の再生を５秒間行なった後にスロー動画像データに基づくスロー動画像の再生を２．５秒間行なうようにしてもよい。また静止画の再生時間は適宜変更可能に構成されている。
【００２９】
この実施の形態に係る電子カメラ２によれば、高精細かつ高精度な静止画像の撮影タイミングを含む所定期間に撮影された高精細かつ高精度なスロー動画像を静止画像と関連付けて記録することができる。また記録されたスロー動画像及び静止画像を再生することにより、印象的な映像効果をユーザーに与えることができる。
【００３０】
なお、上述の実施の形態においては、ベストショットとして選択された１つの特定画像のフレーム画像に基づいて１つの静止画像データ及び１つのスロー動画像データを生成したが、２つ以上の特定画像を選択し、それぞれの特定画像に基づいて２つ以上のスロー動画像データ及び静止画像データを生成するようにしてもよい。例えば、２つのスロー動画像データ及び静止画像データを生成した場合には、１つ目のスロー動画像データに基づいてスロー動画像の再生を行なった後に、１つ目のスロー動画像データに関連付けられている静止画像データに基づいて静止画像の再生を行ない、続けて２つ目のスロー動画像データに基づいてスロー動画像の再生を行なった後に、２つ目のスロー動画像データに関連付けられている静止画像データに基づいて静止画像の再生を行なうようにしてもよいし、１つ目のスロー動画像データに基づくスロー動画像の再生前に、１つ目のスロー動画像データに関連付けられている静止画像データに基づく静止画像の再生を行ない、続けて２つ目のスロー動画像データに基づいてスロー動画像の再生を行なった後に、２つ目のスロー動画像データに関連付けられている静止画像データに基づいて静止画像の再生を行なうようにしてもよい。更に、１つ目のスロー動画像データに基づいてスロー動画像の再生を行ない、続けて２つ目のスロー動画像データに基づいてスロー動画像の再生を行なった後に、１つ目のスロー動画像データに関連付けられている静止画像データに基づいて静止画像の再生を行ない、続けて２つ目のスロー動画像データに関連付けられている静止画像データに基づいて静止画像の再生を行なうようにしてもよい。
【００３１】
また、電子カメラ２のベストショットセレクト機能により特定画像の選択を行う場合には、評価点の高い順に複数枚の特定画像を選択してもよい。ここで例えば３つの特定画像が選択され、１つ目の特定画像の評価点が最も高く、２つ目の特定画像の評価点が次に高く、３つ目の特定画像の評価点が次に高い場合に、１つ目の特定画像に基づいて１秒分のスロー動画像データを生成し、２つ目の特定画像に基づいて０．５秒分のスロー動画像データを生成し、更に、３つ目の特定画像に基づいて０．５秒分のスロー動画像データを生成し、３つのスロー動画動を連続して再生し、続けて１つ目の特定画像に基づき生成された静止画像、２つ目の特定画像に基づき生成された静止画像、３つ目の特定画像に基づき生成された静止画像を順次再生するようにしてもよい。
【００３２】
また、上述の実施の形態において、スロー動画像及び静止画像を表示部１２にプレビュー表示した後、第２フレームレートの値を変更し、変更後の第２フレームレートでスロー動画像を再度生成することを選択できる構成にしてもよい。この場合には、ユーザーがプレビュー表示を見た後、表示されるスロー動画像を更に遅く、または少し速めることを所望したとき等に有効である。具体的には、制御部４は、操作部１４によるユーザー操作により第２フレームレートの値の変更操作がされると、バッファメモリ８に記憶されている一連のフレーム画像を当該変更後の第２フレームレートで再度読み出し、その読み出されたフレーム画像に基づいてスロー動画像を再生成する。その後、そのフレームレート変更後のスロー動画像を表示部１２にプレビュー表示し、且つこの変更後のフレームレートのスロー動画像データを記録媒体１０に記録しても良いか否かの確認画面（選択画面）を表示部１２に表示する。そして、ユーザーが操作部１４を介して、そのスロー動画像で記録ＯＫである旨の操作を行うと、その変更操作後の第２フレームレートで生成されたスロー動画像データが記録媒体１０に記録される。
【００３３】
また、上述の実施の形態においては、第１フレームレートでバッファメモリ８に記憶されているフレーム画像を第２フレームレートで読み出すことにより、スロー動画像データを生成しているが、フレーム画像を第１フレームレートで読み出すことにより動画像データを生成し、生成された動画像データに第２フレームレートで再生するよう指示する情報を付加することによりスロー動画像データを生成する構成にしてもよい。
【００３４】
また、上述の実施の形態においては、バッファメモリ８へのフレーム画像の記憶を繰り返している最中に、ユーザーによりレリーズボタンが全押しされた場合に、制御部４は、レリーズボタンが全押しされてから所定時間(例えば０．４秒)の経過後、フレーム画像の取り込みを終了しているが、レリーズボタンが全押しされた場合に、直ちにフレーム画像の取り込みを停止するようにしてもよい。
【符号の説明】
【００３５】
２…電子カメラ、４…制御部、６…撮像素子、８…バッファメモリ、１０…記録媒体、
１２…表示部、１４…操作部。
【図１】
2013110562.tif 000003
【図２】
2013110562.tif 000004
【図３】
2013110562.tif 000005